(57)【要約】【課題】基準面（例えばバヨネットマウントのフランジ面）から若干離した位置にカメラを装着したことに起因する「ずれ」を修正することができるレンズ装置を提供する。【解決手段】  テレビカメラ用のレンズ鏡胴に設けられるレンズ装置において、マスターレンズと、前記マスターレンズを光軸方向に進退させるフランジバック調整機構と、前記マスターレンズと前記フランジバック調整機構とを含み、光軸方向に進退自在に設けられるフランジバック調整ユニットと、前記フランジバック調整ユニットを進退後の所定位置に固定する固定部材と、を備える。【選択図】  図２
2007248777.tif 000002
【特許請求の範囲】
【請求項１】
テレビカメラ用のレンズ鏡胴に設けられるレンズ装置において、
マスターレンズと、
前記マスターレンズを光軸方向に進退させるフランジバック調整機構と、
前記マスターレンズと前記フランジバック調整機構とを含み、光軸方向に進退自在に設けられるフランジバック調整ユニットと、
前記フランジバック調整ユニットを進退後の所定位置に固定する固定部材と、
を備えることを特徴とするレンズ装置。
【請求項２】
前記フランジバック調整機構は、
カム溝が形成された内周面を有するとともに駆動機構から伝達される駆動力により回転させられる円筒カムと、
前記円筒カムを回転可能に支持する支持環と、
前記カム溝に係合する係合部を有し、前記円筒カムが回転することにより前記係合部が前記カム溝に沿って相対的に移動し、光軸方向に進退する、前記マスターレンズを保持するレンズ枠と、
を含むことを特徴とする請求項１に記載のレンズ装置。
【請求項３】
前記支持環は前記レンズ鏡胴の端部に螺合しており、
前記支持環の前記レンズ鏡胴に対する螺合量を調整することで前記フランジバック調整ユニットを光軸方向に進退させることを特徴とする請求項２に記載のレンズ装置。
【請求項４】
前記固定部材は、前記支持環に螺合する固定用押さえ環であることを特徴とする請求項３に記載のレンズ装置。
【請求項５】
テレビカメラ装着用レンズサポータが装着される装着部と、
前記テレビカメラ装着用レンズサポータに装着されるカメラごとの、前記フランジバック調整ユニットを位置させるべき位置を表す表示が表示された表示部材を備えることを特徴とする請求項１から４のいずれかに記載のレンズ装置。
【請求項６】
テレビカメラ用のレンズ鏡胴に設けられるレンズ装置において、
マスターレンズと、
外側レンズ枠と、
前記マスターレンズを保持するとともに前記外側レンズ枠に進退自在に設けられる内側レンズ枠と、
前記外側レンズ枠を光軸方向に進退させるフランジバック調整機構と、
前記内側レンズ枠を進退後の所定位置に固定する固定部材と、
を備えることを特徴とするレンズ装置。
【請求項７】
前記内側レンズ枠は前記外側レンズ枠に螺合しており、
前記内側レンズ枠の前記外側レンズ枠に対する螺合量を調整することで前記内側レンズ枠を光軸方向に進退させることを特徴とする請求項６に記載のレンズ装置。
【請求項８】
前記固定部材は、前記内側レンズ枠に螺合する固定用押さえ環であることを特徴とする請求項７に記載のレンズ装置。
【請求項９】
テレビカメラ装着用レンズサポータが装着される装着部と、
前記テレビカメラ装着用レンズサポータに装着されるカメラごとの、前記内側レンズ枠を位置させるべき位置を表す表示が表示された表示部材を備えることを特徴とする請求項６から８のいずれかに記載のレンズ装置。
【請求項１０】
テレビカメラ用のレンズ鏡胴に設けられるレンズ装置において、
カム溝が形成された内周面を有するとともに駆動機構から伝達される駆動力により回転させられる円筒カムと、
前記カム溝に係合する係合部を有し、前記円筒カムが回転することにより前記係合部が前記カム溝に沿って相対的に移動し、光軸方向に進退するマスターレンズと、
前記円筒カムを進退させるとともに進退後の所定位置に固定する位置調整機構と、
を備えることを特徴とするレンズ装置。
【請求項１１】
前記位置調整機構は、弾性部材と、前記レンズ鏡胴に螺合された位置調整用リングと、を含み、
前記円筒カムは、前記弾性部材と位置調整用リングとの間に配置されており、
前記弾性部材は、一端が前記レンズ鏡胴に固定されかつ他端が前記円筒カム側面に当接しており、
前記位置調整用リングは、一側面が前記円筒カムの前記弾性部材が当接する側面とは反対側の側面に当接しており、
前記位置調整用リングを回転させて螺合位置を変化させると、前記円筒カムが進退して前記弾性部材が伸縮するとともに進退後の位置が固定されることを特徴とする請求項１０に記載のレンズ装置。
【請求項１２】
前記位置調整機構は、前記円筒カムを前記レンズ鏡胴外部から進退させる操作部材を含むことを特徴とする請求項１０に記載のレンズ装置。
【請求項１３】
テレビカメラ装着用レンズサポータが装着される装着部と、
テレビカメラ装着用レンズサポータに装着されるカメラごとの、前記円筒カムを位置させるべき位置を表す表示が表示された表示部材を備えることを特徴とする請求項１０から１２のいずれかに記載のレンズ装置。
【発明の詳細な説明】
【技術分野】
【０００１】
本発明は、テレビカメラのレンズ装置に係り、特にマスターレンズを光軸方向に進退させるフランジバック調整機構を備えるテレビカメラのレンズ装置に関する。
【背景技術】
【０００２】
従来、業務用、放送局用等のテレビカメラ用レンズ鏡胴の中には、大型カメラを装着するための引っ掛けマウント（ハンガーマウントともいう）とポータブルカメラを装着するためのバヨネットマウントの両方を備えたものが知られている。
【０００３】
引っ掛けマウントやバヨネットマウントのいずれにも装着できないテレビカメラ（例えばレンズ鏡胴とは異なるメーカーのカメラ）については、引っ掛けマウントに装着されるテレビカメラ装着用レンズサポータ（ビルトアップユニットともいう）を用いることで、レンズ鏡胴とテレビカメラを組み合わせて利用することが可能である（特許文献１）。図１は、引っ掛けマウント部１１に装着されたレンズサポータＳにテレビカメラＫを装着した例である。
【０００４】
レンズサポータＳへのテレビカメラＫの装着位置によっては、レンズサポータＳをレンズ鏡胴１０に装着した際にバヨネットマウント部１２のフランジ面１２ａとテレビカメラＫとが干渉することがあるから、この干渉を防止するべく、図１に示すように、レンズサポータＳにおいては、バヨネットマウント部１２のフランジ面１２ａから若干離した位置にテレビカメラＫを装着するようにしている。このように、バヨネットマウント部１２のフランジ面１２ａから若干離した位置にテレビカメラＫを装着すると、テレビカメラＫの撮像面と結像位置が「ずれ」ることになる。この「ずれ」は、レンズ鏡胴等に設けられたフランジバック調整機構によりある程度修正することが可能である。
【特許文献１】特許第３４４３９１９号
【発明の開示】
【発明が解決しようとする課題】
【０００５】
しかしながら、一般的に、レンズ鏡胴等に設けられたフランジバック調整機構は、バヨネットマウントのフランジ面から若干離した位置にテレビカメラを装着したことに起因する「ずれ」を修正することを考慮して設計されていない。このため、「ずれ」を完全に修正することができない場合があるという問題があった。
【０００６】
本発明は、このような事情に鑑みてなされたものであり、基準面（例えばバヨネットマウントのフランジ面）から若干離した位置にテレビカメラを装着したことに起因する「ずれ」を修正することができるレンズ装置を提供することを目的とする。
【課題を解決するための手段】
【０００７】
本発明は上記課題を解決するためになされたものであり、請求項１に記載の発明は、テレビカメラ用のレンズ鏡胴に設けられるレンズ装置において、マスターレンズと、前記マスターレンズを光軸方向に進退させるフランジバック調整機構と、前記マスターレンズと前記フランジバック調整機構とを含み、光軸方向に進退自在に設けられるフランジバック調整ユニットと、前記フランジバック調整ユニットを進退後の所定位置に固定する固定部材と、を備えることを特徴とする。
【０００８】
請求項１に記載の発明によれば、フランジバック調整機構だけではフランジバック調整しきれない場合であっても、フランジバック調整ユニット（マスターレンズを含む）を進退させ所定位置に固定することで、常にフランジバック調整を適切に行うことが可能となる。
【０００９】
請求項２に記載の発明は、請求項１に記載の発明において、前記フランジバック調整機構は、カム溝が形成された内周面を有するとともに駆動機構から伝達される駆動力により回転させられる円筒カムと、前記円筒カムを回転可能に支持する支持環と、前記カム溝に係合する係合部を有し、前記円筒カムが回転することにより前記係合部が前記カム溝に沿って相対的に移動し、光軸方向に進退する、前記マスターレンズを保持するレンズ枠と、を含むことを特徴とする。
【００１０】
請求項２に記載の発明によれば、請求項１に記載の発明において、前記円筒カムが回転することによりレンズ枠（すなわちマスターレンズ）が光軸方向に進退するだけではフランジバック調整しきれない場合であっても、フランジバック調整ユニット（マスターレンズを含む）を進退させ所定位置に固定することで、常にフランジバック調整を適切に行うことが可能となる。
【００１１】
請求項３に記載の発明は、請求項２に記載の発明において、前記支持環は前記レンズ鏡胴の端部に螺合しており、前記支持環の前記レンズ鏡胴に対する螺合量を調整することで前記フランジバック調整ユニットを光軸方向に進退させることを特徴とする。
【００１２】
請求項３に記載の発明によれば、前記支持環の前記レンズ鏡胴に対する螺合量を調整することでフランジバック調整ユニットを進退させることが可能となる。
【００１３】
請求項４に記載の発明は、請求項３に記載の発明において、前記固定部材は、前記支持環に螺合する固定用押さえ環であることを特徴とする。
【００１４】
請求項４に記載の発明によれば、固定用押さえ環を締めつけることで前記フランジバック調整ユニットを進退後の所定位置に固定することが可能となる。
【００１５】
請求項５に記載の発明は、請求項１から４のいずれかに記載の発明において、テレビカメラ装着用レンズサポータが装着される装着部と、前記テレビカメラ装着用レンズサポータに装着されるカメラごとの、前記フランジバック調整ユニットを位置させるべき位置を表す表示が表示された表示部材を備えることを特徴とする。
【００１６】
請求項５に記載の発明によれば、テレビカメラごとの、フランジバック調整ユニットを位置させるべき位置を表す表示を目標にできるので、フランジバック調整ユニットを目標まで容易に進退させることが可能となる。
【００１７】
請求項６に記載の発明は、テレビカメラ用のレンズ鏡胴に設けられるレンズ装置において、マスターレンズと、外側レンズ枠と、前記マスターレンズを保持するとともに前記外側レンズ枠に進退自在に設けられる内側レンズ枠と、前記外側レンズ枠を光軸方向に進退させるフランジバック調整機構と、前記内側レンズ枠を進退後の所定位置に固定する固定部材と、を備えることを特徴とする。
【００１８】
請求項６に記載の発明によれば、フランジバック調整機構だけではフランジバック調整しきれない場合であっても、内側レンズ枠を進退させ所定位置に固定することで、常にフランジバック調整を適切に行うことが可能となる。
【００１９】
請求項７に記載の発明は、請求項６に記載の発明において、前記内側レンズ枠は前記外側レンズ枠に螺合しており、前記内側レンズ枠の前記外側レンズ枠に対する螺合量を調整することで前記内側レンズ枠を光軸方向に進退させることを特徴とする。
【００２０】
請求項７に記載の発明によれば、内側レンズ枠の外側レンズ枠に対する螺合量を調整することで内側レンズ枠を進退させることが可能となる。
【００２１】
請求項８に記載の発明は、請求項７に記載の発明において、前記固定部材は、前記内側レンズ枠に螺合する固定用押さえ環であることを特徴とする。
【００２２】
請求項８に記載の発明によれば、固定用押さえ環を締めつけることで前記内側レンズ環を進退後の所定位置に固定することが可能となる。
【００２３】
請求項９に記載の発明は、請求項６から８のいずれかに記載の発明において、テレビカメラ装着用レンズサポータが装着される装着部と、前記テレビカメラ装着用レンズサポータに装着されるカメラごとの、前記内側レンズ枠を位置させるべき位置を表す表示が表示された表示部材を備えることを特徴とする。
【００２４】
請求項９に記載の発明によれば、テレビカメラごとの、内側レンズ枠を位置させるべき位置を表す表示を目標にできるので、内側レンズ枠を目標まで容易に進退させることが可能となる。
【００２５】
請求項１０に記載の発明は、テレビカメラ用のレンズ鏡胴に設けられるレンズ装置において、カム溝が形成された内周面を有するとともに駆動機構から伝達される駆動力により回転させられる円筒カムと、前記カム溝に係合する係合部を有し、前記円筒カムが回転することにより前記係合部が前記カム溝に沿って相対的に移動し、光軸方向に進退するマスターレンズと、前記円筒カムを進退させるとともに進退後の所定位置に固定する位置調整機構と、を備えることを特徴とする。
【００２６】
請求項１０に記載の発明によれば、前記円筒カムの回転によるマスターレンズの進退だけではフランジバック調整しきれない場合であっても、円筒カムを進退させ所定位置に固定することで、常にフランジバック調整を適切に行うことが可能となる。
【００２７】
請求項１１に記載の発明は、請求項１０に記載の発明において、前記位置調整機構は、弾性部材と、前記レンズ鏡胴に螺合された位置調整用リングと、を含み、前記円筒カムは、前記弾性部材と位置調整用リングとの間に配置されており、前記弾性部材は、一端が前記レンズ鏡胴に固定されかつ他端が前記円筒カム側面に当接しており、前記位置調整用リングは、一側面が前記円筒カムの前記弾性部材が当接する側面とは反対側の側面に当接しており、前記位置調整用リングを回転させて螺合位置を変化させると、前記円筒カムが進退して前記弾性部材が伸縮するとともに進退後の位置が固定されることを特徴とする。
【００２８】
請求項１１に記載の発明によれば、位置調整用リングを回転させることで前記円筒カムを進退させ進退後の所定位置に固定することが可能となる。
【００２９】
請求項１２に記載の発明は、請求項１０に記載の発明において、前記位置調整機構は、前記円筒カムを前記レンズ鏡胴外部から進退させる操作部材を含むことを特徴とする。
【００３０】
請求項１２に記載の発明によれば、レンズ鏡胴外部から円筒カムを進退させることが可能となる。
【００３１】
請求項１３に記載の発明は、請求項１０から１２のいずれかに記載の発明において、テレビカメラ装着用レンズサポータが装着される装着部と、テレビカメラ装着用レンズサポータに装着されるカメラごとの、前記円筒カムを位置させるべき位置を表す表示が表示された表示部材を備えることを特徴とする。
【００３２】
請求項１３に記載の発明によれば、テレビカメラごとの、円筒カムを位置させるべき位置を表す表示を目標にできるので、円筒カムを目標まで容易に進退させることが可能となる。
【発明の効果】
【００３３】
本発明によれば、基準面（例えばバヨネットマウントのフランジ面）から若干離した位置にテレビカメラを装着したことに起因する「ずれ」を修正することができるレンズ装置を提供することが可能となる。
【発明を実施するための最良の形態】
【００３４】
以下、本発明に係るレンズ装置の第１実施形態であるレンズ鏡胴について図面を参照しながら説明する。
【００３５】
図１は、第１実施形態であるレンズ鏡胴１０とレンズサポータＳとの結合関係を説明するための側面図である。図２は、図１に示したレンズ鏡胴１０のバヨネットマウント部１２の拡大断面図である。なお、図２においては、説明の便宜上、主要な構成のみを図示してある。
【００３６】
図１に示すように、レンズ鏡胴１０は、業務用、放送局用等のテレビカメラ用レンズ鏡胴（いわゆる箱形レンズ）であり、大型カメラ（図示せず）あるいはレンズサポータＳを装着するための引っ掛けマウント部１１とバヨネットマウント部１２の両方を備えている。
【００３７】
図２に示すように、本実施形態のレンズ装置においては、レンズ鏡胴１０の端部１３にはフランジバック調整ユニット２０が螺合されている。この螺合量を調整することでフランジバック調整ユニット２０を光軸方向に進退させることが可能となっている。フランジバック調整ユニット２０は固定用押さえ環５０により進退後の所定位置に固定される。以下、具体的に説明する。
【００３８】
フランジバック調整ユニット２０は、マスターレンズ２１（一般的には多数のレンズにより構成されるのでマスターレンズ群と呼ばれることもある）等を備えている。マスターレンズ２１は、略円筒形状のレンズ枠２２によりその側面が保持されている。レンズ枠２２の外周面にはカムピン２３（本発明の係合部に相当）が設けられており、カムピン２３は略円筒形状の支持環３０に形成された縦溝（細長の貫通穴）３１に挿入されている。カムピン２３の先端は、支持環３０の外周面よりも所定量突出しており、支持環３０外周面に回転可能に装着された円筒カム４０内周面に形成されたカム溝４１（周方向に延びている）に係合している。
【００３９】
レンズ枠２２は支持環３０と同心となるように支持環３０に挿入されており、かつ、支持環３０の内径はレンズ枠２２の外径よりも若干大きく設定されている。したがって、円筒カム４０が（支持環３０に対して）回転すると、カムピン２３がカム溝４１に沿って相対的に移動し、これにより、レンズ枠２２（すなわちマスターレンズ２１）が縦溝３１及び支持環３０の内周面にガイドされて光軸方向に進退することになる。なお、円筒カム４０をスムーズに回転させるためには、円筒カム４０又は支持環３０の少なくとも一方をポリアセタールやテフロン（登録商標）のような滑りのよい材料で形成することが好ましい。
【００４０】
円筒カム４０の外周面にはその周方向にギヤ４２が形成されており、このギヤ４２には、支持環３０等に固定されたモータＭ１の回転軸に設けられたギヤＧ１が噛み合っている。すなわち、円筒カム４０はモータＭ１から伝達される駆動力により回転制御される構成となっている（本発明の駆動機構に相当）。なお、ギヤ４２にはポテンショメータＰの回転軸に設けられたギヤ（図示せず）が噛み合っており、円筒カム４０の回転量を検出可能となっている。
【００４１】
支持環３０は、その外周面にネジ溝３２が形成されており、ネジ溝１４が形成された端部１３内周面を持つレンズ鏡胴１０に螺合している。すなわち、支持環３０のレンズ鏡胴１０に対する螺合量を調整することで、フランジバック調整ユニット２０を光軸方向に進退させる構成となっている。また、支持環３０の外周面のネジ溝３２には固定用押さえ環５０が螺合している。すなわち、この固定用押さえ環５０を締めつけることで、フランジバック調整ユニット２０を進退後の所定位置に固定する構成となっている。
【００４２】
なお、フランジバック調整ユニット２０を位置させるべき位置はレンズサポータＳに装着されるテレビカメラごとに異なるから、レンズサポータＳに装着されるテレビカメラごとの、フランジバック調整ユニット２０を位置させるべき位置を表す表示が表示された表示部材Ｄを設けるようにしてもよい。この表示部材Ｄは例えばレンズ鏡胴１０の端部１３に設けることが考えられる。このようにすれば、この表示を目標にしてフランジバック調整ユニット２０を進退させればよい（例えば、支持環３０に指標３３を設け、この指標３３を表示部材Ｄの表示に一致させるようにすればよい）ので、テレビカメラごとのフランジバック調整を極めて容易に行うことが可能となる。
【００４３】
以上説明したように、本実施形態のレンズ装置においては、支持環３０のレンズ鏡胴１０に対する螺合量を調整することでフランジバック調整ユニット２０を光軸方向に進退させ、固定用押さえ環５０を締めつけることでフランジバック調整ユニット２０を進退後の所定位置に固定することができる。これにより、円筒カム４０の回転等によるマスターレンズ２１の進退だけではフランジバック調整しきれない場合であっても、常にフランジバック調整を適切に行うことが可能となる。
【００４４】
次に、本発明に係るレンズ装置の第２実施形態であるレンズ鏡胴について図面を参照しながら説明する。
【００４５】
図３は、第２実施形態であるレンズ鏡胴１０の断面図である。
【００４６】
図３に示すように、本実施形態のレンズ装置においては、外側レンズ枠２２ｂには内側レンズ枠２２ａが螺合されている。この螺合量を調整することで内側レンズ枠２２ａを光軸方向に進退させることが可能となっている。内側レンズ枠２２ａは固定用押さえ環６０により進退後の所定位置に固定される。第１実施形態と比較してこれらの点が本実施形態のレンズ装置の主要な特徴となっている。以下、具体的に説明する。なお、第１実施形態と同様の構成については同一の符号を付す。
【００４７】
レンズ鏡胴１０の端部１３には、マスターレンズ２１等が設けられている。マスターレンズ２１は、略円筒形状の内側レンズ枠２２ａによりその側面が保持されている。内側レンズ枠２２ａは、その外周面にネジ溝２２ａ１が形成されており、ネジ溝２２ｂ１が形成された内周面を持つ外側レンズ枠２２ｂに螺合している。すなわち、内側レンズ枠２２ａの外側レンズ枠２２ｂに対する螺合量を調整することで、内側レンズ枠２２ａを光軸方向に進退させる構成となっている。また、内側レンズ枠２２ａの外周面のネジ溝２２ａ１には固定用押さえ環６０が螺合している。すなわち、この固定用押さえ環６０を締めつけることで、内側レンズ枠２２ａ（すなわちマスターレンズ２１）を進退後の所定位置に固定する構成となっている。
【００４８】
なお、内側レンズ枠２２ａを位置させるべき位置はレンズサポータＳに装着されるテレビカメラごとに異なるから、レンズサポータＳに装着されるテレビカメラごとの、内側レンズ枠２２ａを位置させるべき位置を表す表示が表示された表示部材Ｄと同様の表示部材（図示せず）を設けるようにしてもよい。この表示部材は例えばレンズ鏡胴１０の端部１３に設けることが考えられる。このようにすれば、この表示を目標にして内側レンズ枠２２ａを進退させればよい（例えば、内側レンズ枠２２ａに指標を設け（図示せず）、この指標を表示部材の表示に一致させるようにすればよい）ので、テレビカメラごとのフランジバック調整を極めて容易に行うことが可能となる。
【００４９】
外側レンズ枠２２ｂの外周面にはカムピン２３（本発明の係合部に相当）が設けられており、カムピン２３は略円筒形状のレンズ鏡胴１０の端部１３に形成された縦溝（細長の貫通穴）１３ａに挿入されている。カムピン２３の先端は、レンズ鏡胴１０の端部１３の外周面よりも所定量突出しており、レンズ鏡胴１０の端部１３外周面に回転可能に装着された円筒カム４０内周面に形成されたカム溝４１（周方向に延びている）に係合している。
【００５０】
外側レンズ枠２２ｂはレンズ鏡胴１０の端部１３と同心となるように端部１３に挿入されており、かつ、レンズ鏡胴１０の端部１３の内径は外側レンズ枠２２ｂの外径よりも若干大きく設定されている。したがって、円筒カム４０が（レンズ鏡胴１０の端部１３に対して）回転すると、カムピン２３がカム溝４１に沿って相対的に移動し、これにより、レンズ枠２２（すなわちマスターレンズ２１）が縦溝１３ａ及びレンズ鏡胴１０の端部１３の内周面にガイドされて光軸方向に進退することになる。なお、円筒カム４０をスムーズに回転させるためには、円筒カム４０又は端部１３の少なくとも一方をポリアセタールやテフロン（登録商標）のような滑りのよい材料で形成することが好ましい。
【００５１】
円筒カム４０の外周面にはその周方向にギヤ４２が形成されており、このギヤ４２には、支持環３０等に固定されたモータＭ１の回転軸に設けられたギヤＧ１が噛み合っている。すなわち、円筒カム４０はモータＭ１から伝達される駆動力により回転制御される構成となっている（本発明の駆動機構に相当）。なお、ギヤ４２にはポテンショメータＰの回転軸に設けられたギヤ（図示せず）が噛み合っており、円筒カム４０の回転量を検出可能となっている。
【００５２】
以上説明したように、本実施形態のレンズ装置においては、内側レンズ枠２２ａの外側レンズ枠２２ｂに対する螺合量を調整することで内側レンズ枠２２ａを光軸方向に進退させ、固定用押さえ環６０を締めつけることで内側レンズ枠２２ａ（すなわちマスターレンズ２１）を進退後の所定位置に固定することができる。これにより、円筒カム４０の回転等による外側レンズ枠２２ｂ（すなわちマスターレンズ２１）の進退だけではフランジバック調整しきれない場合であっても、常にフランジバック調整を適切に行うことが可能となる。
【００５３】
従来のフランジバック調整機構と比較しての本実施形態のレンズ鏡胴１０の効果は次の通りである。すなわち、従来のフランジバック調整機構においては、例えば、円筒カム４０に相当する円筒カムの内側に形成されたカム溝を所定量延長すれば、バヨネットマウントのフランジ面から若干離した位置にテレビカメラを装着したことに起因する「ずれ」を修正し得る。しかしながら、カム溝を延長すればその分レンズ鏡胴の全長が延びることになるから、レンズ鏡胴を小型化できないという問題が生ずることになる。
【００５４】
本実施形態のレンズ鏡胴１０においては、内側レンズ枠２２ａの外側レンズ枠２２ｂに対する螺合量を調整する構成であるため、レンズ鏡胴の全長が延びることはない。
【００５５】
次に、本発明に係るレンズ装置の第３実施形態であるレンズ鏡胴について図面を参照しながら説明する。
【００５６】
図４は、第３実施形態であるレンズ鏡胴１０の断面図である。
【００５７】
図４に示すように、本実施形態のレンズ装置においては、円筒カム４０が弾性部材Ｂと位置調整用リング７０との間に配置されている。弾性部材Ｂは、一端がレンズ鏡胴１０に固定されており、かつ、他端が円筒カム４０側面に当接している。位置調整用リング７０は、一側面が円筒カム４０の弾性部材Ｂが当接する側面とは反対側の側面に当接している。位置調整用リング７０を回転させて螺合位置を変化させると、円筒カム４０が進退して弾性部材Ｂを伸縮させるとともに円筒カム４０が進退後の所定位置に固定される。以下、具体的に説明する。なお、第１実施形態と同様の構成については同一の符号を付す。
【００５８】
レンズ鏡胴１０の端部１３には、マスターレンズ２１等が設けられている。マスターレンズ２１は、略円筒形状のレンズ枠２２によりその側面が保持されている。レンズ枠２２の外周面にはカムピン２３（本発明の係合部に相当）が設けられており、カムピン２３は略円筒形状のレンズ鏡胴１０の端部１３に形成された縦溝（細長の貫通穴）１３ａに挿入されている。カムピン２３の先端は、レンズ鏡胴１０の端部１３の外周面よりも所定量突出しており、レンズ鏡胴１０の端部１３外周面に回転可能に装着された円筒カム４０内周面に形成されたカム溝４１（周方向に延びている）に係合している。
【００５９】
レンズ枠２２はレンズ鏡胴１０の端部１３と同心となるように端部１３に挿入されており、かつ、レンズ鏡胴１０の端部１３の内径はレンズ枠２２の外径よりも若干大きく設定されている。したがって、円筒カム４０が（レンズ鏡胴１０の端部１３に対して）回転すると、カムピン２３がカム溝４１に沿って相対的に移動し、これにより、レンズ枠２２（すなわちマスターレンズ２１）が縦溝１３ａ及びレンズ鏡胴１０の端部１３の内周面にガイドされて光軸方向に進退することになる。なお、円筒カム４０をスムーズに回転させるためには、円筒カム４０又は端部１３の少なくとも一方をポリアセタールやテフロン（登録商標）のような滑りのよい材料で形成することが好ましい。
【００６０】
レンズ鏡胴１０の端部１３外周面にはネジ溝１４が形成されており、このネジ溝１４には位置調整用リング７０が螺合している。また、レンズ鏡胴１０の端部１３外周面には突起部１５が設けられている。円筒カム４０は、位置調整用リング７０と突起部１５との間に位置している。突起部１５には弾性部材Ｂの一端が固定されており、弾性部材Ｂの他端は円筒カム４０側面に当接している。また、位置調整用リング７０は、一側面が円筒カム４０の弾性部材Ｂが当接する側面とは反対側の側面に当接している。すなわち、位置調整用リング７０を回転させて螺合位置を変化させると、円筒カム４０が進退して弾性部材Ｂを伸縮させるとともに円筒カム４０が進退後の所定位置に固定される構成となっている。
【００６１】
なお、円筒カム４０を位置させるべき位置はレンズサポータＳに装着されるテレビカメラごとに異なるから、レンズサポータＳに装着されるテレビカメラごとの、円筒カム４０を位置させるべき位置を表す表示が表示された表示部材Ｄを設けるようにしてもよい。この表示部材Ｄは例えばレンズ鏡胴１０の端部１３に設けることが考えられる。このようにすれば、この表示を目標にして円筒カム４０を進退させればよい（例えば、円筒カム４０の端面を表示部材Ｄの表示に一致させるようにすればよい）ので、テレビカメラごとのフランジバック調整を極めて容易に行うことが可能となる。
【００６２】
円筒カム４０の外周面にはその周方向にギヤ４２が形成されており、このギヤ４２には、支持環３０等に固定されたモータＭ１の回転軸に設けられたギヤＧ１が噛み合っている。すなわち、円筒カム４０はモータＭ１から伝達される駆動力により回転制御される構成となっている（本発明の駆動機構に相当）。なお、ギヤ４２にはポテンショメータＰの回転軸に設けられたギヤ（図示せず）が噛み合っており、円筒カム４０の回転量を検出可能となっている。
【００６３】
以上説明したように、本実施形態のレンズ装置においては、位置調整用リング７０を回転させることで円筒カム４０を進退させるとともに進退後の所定位置に固定することができる。これにより、円筒カム４０の回転等によるレンズ枠２２（すなわちマスターレンズ２１）の進退だけではフランジバック調整しきれない場合であっても、常にフランジバック調整を適切に行うことが可能となる。
【００６４】
なお、本実施形態のレンズ装置においては、位置調整用リング７０を回転させることで円筒カム４０を進退させるとともに進退後の所定位置に固定するように説明したが本発明はこれに限定されない。
【００６５】
例えば、図５に示すように、位置調整用リング７０をレンズ鏡胴１０の端部１３外周面に光軸方向にスライド可能に装着し（すなわちネジ溝１４を設けない）、位置調整用リング７０をスライドさせるごとに、位置調整用リング７０がレンズ鏡胴１０に係合して固定されるような固定機構（ストッパ）を設けるようにしてもよい。
【００６６】
このような固定機構としては様々なものが考えられる。例えば、位置調整用リング７０に爪部（図示せず）を設け、この爪部に係合するテレビカメラＡ用係合部、テレビカメラＢ用係合部をレンズ鏡胴１０側に設ける。このようにすれば、位置調整用リング７０をスライドさせるごとに、位置調整用リング７０（この場合爪部）がレンズ鏡胴１０（この場合テレビカメラＡ用係合部又はテレビカメラＢ用係合部）に係合して固定されることになる。なお、この場合、レンズ鏡胴１０外部からスライド操作しやすいように、レンズ鏡胴１０内部から外部に突出する操作レバー（本発明の操作部材に相当）を設け、このレバーを切り換えることにより、位置調整用リング７０をテレビカメラＡ用係合部又はテレビカメラＢ用係合部にスライドさせるようにしてもよい。また、各係合の際にクリック感が得られるように所定のクリック機構を設けてもよい。
【００６７】
また、図６に示すように、位置調整用リング７０の外周面にギヤ７１を形成し、このギヤ７１にモータＭ２の回転軸に設けられたギヤＧ２やポテンショメータＰの回転軸に設けられたギヤＧ３を噛み合わせるようにしてもよい。
【００６８】
このようにすれば、例えば、図７に示すようにレンズ鏡胴１０とテレビカメラＫとをコネクタＮを介して接続したテレビカメラシステムにおいて、テレビカメラＫからの信号（例えばテレビカメラＫの装着位置やテレビカメラＫの種類に応じた信号）に応じて自動的に円筒カム４０（すなわちマスターレンズ２１）を進退させ進退後の所定位置に固定することが可能となる。
【００６９】
また、テレビカメラＫにおいてフランジバックが不足したことが検出された場合には自動的に円筒カム４０（すなわちマスターレンズ２１）を進退させ進退後の所定位置に固定することで、フランジバック調整することも可能となる。
【００７０】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００７１】
【図１】本発明に係るレンズ装置の第１実施形態であるレンズ鏡胴とレンズサポータＳとの結合関係を説明するための側面図である。
【図２】第１実施形態であるレンズ鏡胴のバヨネットマウント部の拡大断面図である。
【図３】第２実施形態であるレンズ鏡胴のバヨネットマウント部の拡大断面図である。
【図４】第３実施形態であるレンズ鏡胴のバヨネットマウント部の拡大断面図である。
【図５】第３実施形態であるレンズ鏡胴のバヨネットマウント部の拡大断面図である（変形例）。
【図６】第３実施形態であるレンズ鏡胴のバヨネットマウント部の拡大断面図である（変形例）。
【図７】第３実施形態であるレンズ鏡胴とテレビカメラとをコネクタを介して接続した状態を説明するための構成図である。
【符号の説明】
【００７２】
１０…レンズ鏡胴、１１…引っ掛けマウント部、１２…バヨネットマウント部、１３…端部、１３ａ…縦溝、１４…ネジ溝、１５…突起部、２０…フランジバック調整ユニット、２１…マスターレンズ、２２…レンズ枠、２２ａ…内側レンズ枠、２２ａ１…ネジ溝、２２ｂ…外側レンズ枠、２２ｂ１…ネジ溝、２３…カムピン、３０…支持環、３１…縦溝、３２…ネジ溝、３３…指標、４０…円筒カム、４１…カム溝、４２…ギヤ、５０…固定用押さえ環、６０…固定用押さえ環、７０…位置調整用リング、７１…ギヤ、Ｄ…表示部材、Ｇ１…ギヤ、Ｇ２…ギヤ、Ｋ…テレビカメラ、Ｍ１…モータ、Ｍ２…モータ、Ｎ…コネクタ、Ｐ…ポテンショメータ、Ｓ…レンズサポータ
【図１】
2007248777.tif 000003
【図２】
2007248777.tif 000004
【図３】
2007248777.tif 000005
【図４】
2007248777.tif 000006
【図５】
2007248777.tif 000007
【図６】
2007248777.tif 000008
【図７】
2007248777.tif 000009